(57)【要約】【課題】通し引手本体を覆う化粧シートのシート端部が使用中に剥離しないように、化粧シートラッピング時のシート固着機能を備えた通し引手を提供する。【解決手段】通し引手Ａは、通し引手本体１０と、通し引手本体１０をその表面側から覆う１の化粧シート２０と、通し引手本体１０をその裏面側から覆う他の化粧シート２５とで構成される。爪部１１は通し引手本体１０の長手方向の全長に亘って切り起こされている。爪部１１を収納する収納凹溝３５が爪部１１の切り起こし部分に設けられている。通し引手本体１０の表面側を覆う１の化粧シート２０のシート端部２０ａが爪部１１の外面から端面１１ａまで貼り付けられている。通し引手本体１０の裏面側を覆う他の化粧シート２５の端部２５ａは、収納凹溝３５の内面１４まで貼り付けられている。爪部１１を収納凹溝３５に収納した時に、爪部１１と収納凹溝３５との間に形成される隙間１５がシート端部２０ａ・２５ａの厚みの和にほぼ等しい。【選択図】図２
2018111998.tif 000002
【特許請求の範囲】
【請求項１】
固着部にて引戸本体の戸先部分又は戸尻部分の少なくともいずれか一方にその略全長に亘って固着され、凹状又は凸状に形成された手掛け部をその表面に有し、固着部の反対側の端面が戸当たり面となる通し引手本体と、
通し引手本体をその表面側から覆う一の化粧シートと、
通し引手本体をその裏面側から覆う他の化粧シートとで構成された通し引手において、
爪部が通し引手本体の長手方向の全長に亘って切り起こされており、
前記爪部を倒した時にこれ収納する収納凹溝が、爪部の切り起こし部分に設けられ、
通し引手本体の表面側を覆う一の化粧シートのシート端部は、爪部の外面から端面まで貼り付けられ、
通し引手本体をその裏面側から覆う他の化粧シートの端部は、収納凹溝の内面まで貼り付けられ、
爪部を収納凹溝に収納した時に、爪部の端面と収納凹溝の内面との間に形成される隙間が爪部の端面に貼り付けられたシート端部の厚みと収納凹溝の内面に貼り付けられたシート端部の厚みの和にほぼ等しいことを特徴とする通し引手。
【請求項２】
通し引手本体の平面部分に爪部と収納凹溝とが設けられていることを特徴とする請求項１に記載の通し引手。
【請求項３】
通し引手本体の角部に、収納凹溝に収納された爪部の端面が一致するように爪部と収納凹溝とが通し引手本体に設けられていることを特徴とする請求項１に記載の通し引手。
【請求項４】
請求項１から３のいずれかに記載の通し引手において、爪部の端部に凸状突起が突設され、収納凹溝には爪部を収納した時に、前記端部の対向面において、前記凸状突起に一致する位置に凹状窪みが形成されていることを特徴とする通し引手。
【請求項５】
請求項１から４のいずれかに記載の通し引手における化粧シート固着方法であって、
通し引手本体の前記爪部を引き起こした状態で、通し引手本体の裏面を覆った裏面側の化粧シートのシート端部を爪部の外面から端面までに固着し、且つ、通し引手本体の表面を覆った表面側の化粧シートのシート端部を収納凹溝の対向面まで固着し、
次いで、前記爪部を倒して収納凹溝内に嵌め込み、爪部の端部に貼り付けられているシート端部と、収納凹溝に対向面に貼り付けられているシート端部とを前記端部と対向面との間に形成される隙間に挟み込むことを特徴とする通し引手における化粧シート固着方法。
【発明の詳細な説明】
【技術分野】
【０００１】
本発明は、ウォークインクローゼット等の屋内開口部を開閉し得る引戸の通し引手に関し、さらに詳しくは、通し引手本体を覆う化粧シートのラッピング時のシート固着機能を備えた通し引手とその固着方法に関する。
【背景技術】
【０００２】
近年、戸建て住宅だけでなく、集合住宅も含めて、衣類やその他の日用品を集中的に収納するためのクローゼットを設ける場合が増えている。これらのクローゼットでは、１つの独立した部屋のように形成され、その内部に人が出入り可能なウォークインクローゼットが多く採用されている。
【０００３】
上記ウォークインクローゼットの扉のような屋内開口部を開閉する引戸においては、引戸の美観向上の観点から、扉の表裏面ともにシート化粧することが要求される。そして、このような引戸本体には通し引手が取り付けられることが多く、デザインを統一するために、通し引手全体にも引戸本体とは別に化粧シートをラッピングすることが要求される（特許文献１、２）。
【先行技術文献】
【特許文献】
【０００４】
【特許文献１】特開２０１３−６６５６０号公報
【特許文献２】特許４４０２７８８号公報
【発明の概要】
【発明が解決しようとする課題】
【０００５】
現在、化粧シートを部材にラッピングする場合、化粧シートをローラで押さえつけて接着剤で貼着していくという方法が採用されている。処が、通し引手の形状は引戸本体に比べて複雑な形状をしていてラッピングが困難なため、複数のラッピングシートを用い、複数の方向からローラによる接着が必要なことが多く、このような場合にはシート端部の重複部分が発生して外観を落としてしまうこと、化粧シートは対汚染性を高めているため接着性が悪く、複雑な形状を有する通し引手に使用した場合にはこのシート端部の重複部分が接着剤の経年劣化によって剥がれてくるというような問題があった。
【０００６】
本発明は、上記問題点を解決するためになされたもので、シート端部の重複部分が外部に現れないようにすることで外観の向上を図ることや、接着性の悪い化粧シートであったとしても経年劣化で重複部分に剥がれが発生しない通し引手とその固着方法を提供することをその課題とする。
【課題を解決するための手段】
【０００７】
請求項１に記載の発明は、
固着部１０ｃにて引戸本体３０の戸先部分又は戸尻部分の少なくともいずれか一方にその略全長に亘って固着され、凹状又は凸状に形成された手掛け部１０ｂ・１０ｄをその表面に有し、固着部１０ｃの反対側の端面が戸当たり面１０ｈとなる通し引手本体１０と、
通し引手本体１０をその表面側から覆う一の化粧シート２０と、
通し引手本体１０をその裏面側から覆う他の化粧シート２５とで構成された通し引手Ａであって、
爪部１１が通し引手本体１０の長手方向の全長に亘って切り起こされており、
前記爪部１１を倒した時にこれを収納する収納凹溝３５が、爪部１１の切り起こし部分に設けられ、
通し引手本体１０の表面側を覆う一の化粧シート２０のシート端部２０ａは、収納凹溝３５の内面１４まで貼り付けられ、
通し引手本体１０をその裏面側から覆う他の化粧シート２５の端部２５ａは、爪部１１の外面から端面１１ａまで貼り付けられ、
爪部１１を収納凹溝３５に収納した時に、爪部１１の端面１１ａと収納凹溝３５の内面１４との間に形成される隙間１５が爪部１１の端面１１ａに貼り付けられたシート端部２０ａの厚みと収納凹溝３５の内面１４に貼り付けられたシート端部２５ａの厚みの和にほぼ等しいことを特徴とする。
【０００８】
請求項２は、請求項１に記載の通し引手Ａに於いて、通し引手本体１０の平面部分に爪部１１と収納凹溝３５とが設けられていることを特徴とする。
【０００９】
請求項３は、請求項１に記載の通し引手Ａに於いて、通し引手本体１０の角部に、収納凹溝３５に収納された爪部１１の端面１１ａが一致するように爪部１１と収納凹溝３５とが通し引手本体１０に設けられていることを特徴とする。
【００１０】
請求項４に記載の発明に係る通し引手Ａは、請求項１から３のいずれかに記載の通し引手Ａに関し、爪部１１の端面１１ａに凸状突起１３が突設され、収納凹溝１５には爪部１１を収納した時に、前記端面１１ａの対向面１４において、前記凸状突起１３に一致する位置に凹状窪み１８が形成されていることを特徴とする。
【００１１】
請求項５に記載の発明は、請求項１〜４のいずれかに記載の通し引手Ａにおける化粧シート固着方法であって、
通し引手本体１０の前記爪部１１を引き起こした状態で、通し引手本体１０の裏面を覆った裏面側の化粧シート２５のシート端部２５ａを爪部１１の外面から端面１１ａまでに固着し、且つ、通し引手本体１０の表面を覆った表面側の化粧シート２０のシート端部２０ａを収納凹溝３５の対向面１４まで固着し、
次いで、前記爪部１１を倒して収納凹溝１５内に嵌め込み、爪部１１の端面１１ａに貼り付けられているシート端部２５ａと、収納凹溝３５に対向面１４に貼り付けられているシート端面２０ａとを前記端面１１ａと対向面１４との間に形成される隙間１５に挟み込むことを特徴とする。
【発明の効果】
【００１２】
本発明の通し引手によれば、２枚の化粧シートのシート端部が通し引手本体に設けられた爪部とその収納凹溝にて形成される隙間に挟み込まれて固着されるため、化粧シートを通し引手本体の外部で重複させて接着剤等で固着する部分がなくなり、化粧シートが剥がれて引戸の美観を損ねたり、クローゼットの気密性を損ねたりするようなことがない。
更には、上記のように収納凹溝に爪部が嵌まり込めば、単に１本の直線が通し引手の全長に亘って現れるだけであるので引戸の美観を損なうことはない。
そして、前記１本の直線が通し引手の角部に現れるようにした場合には、該直線がより目立たなくなる。
また、爪部１１の端面１１ａに凸状突起１３を設け、収納凹溝１５の対向面１４に凹状窪み１８を設けておけば、爪部１１を収納凹溝１５に嵌め込んだ時に凸状突起１３が嵌め殺し状態で嵌まり込み、爪部１１が収納凹溝１５から出ることはない。
【図面の簡単な説明】
【００１３】
【図１】本発明の引戸の一実施例を示す背面図である。
【図２】図２の２−２線の部分断面図である。
【図３】図２の爪部を開口した部分断面図である。
【図４】本発明の別の実施例を示す部分断面図である。
【図５】図４の爪部を開口した部分断面図である。
【図６】本発明のさらに別の実施例を示す爪部に凸状突起を有する部分断面図である。
【図７】図６の爪部を開口した部分断面図である。
【発明を実施するための形態】
【００１４】
以下、本発明を図面に従って説明する。図１は、本発明にかかる実施例１の引戸全体を示す背面図である。図２は、図１中の引戸を２−２線で切断した断面図のうち、通し引手Ａの部分を拡大したものである。
【００１５】
図２が示すように、通し引手Ａは、その芯材となる通し引手本体１０とその表裏両面にそれぞれ接着される２枚の化粧シート２０、２５とで構成されている。
引戸本体３０は、通常、縦枠材と横枠材を枠組みし、これに面材を張り合わせたフラッシュ構造を有するものが使用される。（ただし、これに限定されることはなく、その他の構造なども、適宜使用することができる。）そして、図示していないが、一般的にはその表面に下記に示すような化粧シートがラッピングされる。引戸本体３０の裏面側端部には、長手方向全長に亘って、段状に形成された通し引手取付凹段部３１が形成されている。
【００１６】
通し引手本体１０は、図２に示す表裏両面に凸凹した断面構造を有するＡＢＳ樹脂のような樹脂成形品からできている。ラッピングに使用される化粧シート２０、２５としては、例えば、オレフィン樹脂シート、ポリサンドシート等が挙げられ、その厚さは０．１〜１ｍｍ程度である。
【００１７】
通し引手本体１０は、大略、引戸本体３０と通し引手本体１０とを固着する固着部１０ｃと、通し引手表面側の手掛け部１０ｅ及び裏面側の手掛け部１０ｄと、引戸全体の端部を形成し、室内開口部を閉じる戸当たり部１０ａとから構成される。
即ち、通し引手本体１０は、引戸本体３０の外面において面一にて上記通し引手取付凹段部３１に嵌まり込む平板状の固着部１０ｃ、該固着部１０ｃの端部から直角方向に伸び、引戸本体３０の端面を覆う屈曲部１０ｆ、該屈曲部１０ｆから裏面斜め方向に伸びた傾斜片部１０ｇ、及び該傾斜片部１０ｇの先端から表面側で引戸本体３０の端面に平行に伸び、戸当たり面１０ｈを構成する戸当たり部１０ａとで構成される。そして、傾斜片部１０ｇの裏面が通し引手本体１０の長手方向全長に亘って大きくえぐられ、裏面側の手掛け部１０ｄとなっている。表面側の手掛け部１０ｅは、傾斜片部１０ｇとこれに対して屈曲した戸当たり部１０ａで構成される。
【００１８】
上記通し引手表面側の手掛け部１０ｅは引戸を表側から開閉しやすいように幅広く、かつ深い凹部を有するように形成されている。そして、戸当たり部１０ａの内面側先端にはその長手方向全長に亘って手掛け凸部１０ｂが突設され、開閉時に指が滑らないように工夫されている。これに対して、通し引手裏面側の手掛け部１０ｄは、反対側にある手掛け部１０ｅよりも幅は狭く、かつ浅い凹溝状に形成されている。これは、一般的にクローゼット室内からの引戸開閉時には、室外からの開閉時よりも小さな力で行われることに対応している。
【００１９】
実施例１では、爪部１１、及び収納凹溝３５は戸当たり部１０ａにその長手方向全長に亘って設けられている。爪部１１は断面略三角形で、収納凹溝３５に繋がっている狭い部分が基部１２であり、この基部１２を回転中心として倒れ込み収納凹溝３５内に嵌まり込む。従って、基部１２には屈曲性や柔軟性があれば好ましい。屈曲性や柔軟性がなければ表面に貼られた化粧シート２５を残して折損することで倒れ込ませることができる。
【００２０】
収納凹溝３５の断面形状は爪部１１とほぼ同一形状で、基部１２からの高さが収納凹溝３５の底面の長さより若干短く、爪部１１を収納凹溝３５に収納した時に、爪部１１の端面１１ａに貼られたシート端部２０ａ、及び収納凹溝３５の対向面１４の貼られたシート端部２５ａを重ねて挟み込める幅の隙間１５が設けられる。
そして、該隙間１５の深さは、重ね合わされたシート端部２０ａ、２５ａを挟み込める深さがあれば足り、図２では戸当たり部１０ａの略２分の１の深さとなっている。（勿論、これに限定されるものではなく、これよりも浅くとも、或いは深くとも構成可能である。）
【００２１】
また爪部１１を収納する収納凹溝３５は、上記のように爪部１１とほぼ同一形状であるが、更に詳述すると、隙間１５（或いは、対向面１４）の奥端から通し引手本体１０の裏面側に向けて斜めに戸当たり面１０ｈの基部１２までその幅が漸減するように形成され、基部１２の幅は、戸当たり部１０ａの当該部分の略３分の１で、通し引手本体１０の長手方向の略全長に亘って設けて構成されている。
【００２２】
次に、通し引手本体１０へのシートラッピングについて説明する。表面側に於いては、屈曲部１０ｆの外面（引戸本体３０の端面に当接する面）に表面側の化粧シート２０の一方の端部を接着し、通し引手本体１０の凹凸に沿わせて図示しないローラで該化粧シート２０を表面側に接着する。そして、該化粧シート２０の貼り残し側の他方のシート端部２０ａを収納凹溝３５の上記隙間１５を形成する内面まで貼り付ける。不要部分は切除する。
【００２３】
裏面側に於いては、固着部１０ｃの通し引手取付凹段部３１の取付面（引戸本体３０の裏面に直角な面）に裏面側の化粧シート２５の一方に端部を接着し、表面側同様、通し引手本体１０の凹凸に沿わせて図示しないローラで該化粧シート２５を裏面側に接着する。  そして、該化粧シート２５の貼り残し側の他方のシート端部２５ａを図３に示すように起き上がった状態の爪部１１の端面１１ａまで貼り付ける。不要部分は切除される。
【００２４】
然る後、収納凹溝１５（或いは、爪部１１）の内面に接着剤を塗布した後、起き上がった状態の爪部１１を押し倒して収納凹溝１５に嵌め込み、同時に重ね合わされたシート端部２０ａ、２５ａを隙間１５にて挟み込みながら爪部１１を収納凹溝１５に固定する。
後述するように、爪部１１に凸状突起１３が設けられている場合には、接着剤と共に或いは接着剤なしで、収納凹溝１５の凹状窪み１８に嵌め殺し状態で嵌まり込み、この状態で固定される。そして、爪部１１の端面１１ａ、及び収納凹溝３５の対向面１４まで貼り付けられたシート端部２０ａ、２５ａは当該部分に貼り付いたままで隙間１５内に挟み込まれ、接着或いは嵌め殺し固定される。これにより、戸当たり面１０ｈには、その長手方向全長に亘ってシート端部２０ａ、２５ａが巻き込まれた直線が表れるだけとなる。
【００２５】
このように通し引手Ａのラッピングが終了すると、図２に示すように、固着部１０ｃは、通し引手取付凹段部３１にその長手方向の略全長に亘って接着剤、ネジ等を用いて固着される。この時、引戸本体３０の端面と屈曲部１０ｆとの間には、表面側の化粧シート２０の一方の端部が、引戸本体３０の通し引手取付凹段部３１と固着部１０ｃとの間には、裏面側の化粧シート２５の一方の端部が、それぞれサンドイッチ構造で挟み込まれ、必要に応じて接着剤等を用いて固着される。
【００２６】
上述のような構造とすることで、シート端部２０ａ、２５ａが通し引手本体１０の爪部１１によって強固に挟み固着されるため、その後の加工時の容易さだけでなく、長期にわたる使用においても、化粧シート２０、２５のシート端部２０ａ、２５ａが通し引手本体１０から剥離することはなく、従って、引戸の美観を損ねたり、クローゼットの気密性を損なうこともない。実施例１では、引戸の開閉時に爪部１１がクローゼット使用者からは表面及び裏面からも見えないため、使用時の美観を損なうことがない。
【００２７】
次に実施例２について説明するが、基本的には実施例１と共通するため、簡略化のために共通部分は省略して該部分を援用し、相違する部分のみを重点的に説明する。実施例２は、図４〜５に示すように、実施例１の戸当たり面１０ｈに設けた爪部１１を裏面側表面１０ｊに設け、隙間１５を裏面側表面１０ｊと戸当たり面１０ｈとの角部に設けた通し引手Ａであり、これ以外の点は実施例１と同じである。
【００２８】
実施例３は、図６〜７に示すように、実施例１（或いは図示しないが実施例２）の通し引手本体１０の爪部１１の端面１１ａに凸状突起１３と、前記端面１１ａと前記隙間１５を構成する端面１１ａの対向面する内面１４に凹状窪み１８を備えた構造としている。凸状突起１３及び凹状窪み１８は端面１１ａや内面１４の長手方向全長に亘って設けてもよいし、一定間隔で複数個設けてもよい。
【００２９】
これらの凸状突起１３と凹状窪み１８により、シート端部２０ａ、２５ａは、より強固に隙間１５に固着されるだけでなく、爪部１１も、これらの凸状突起１３と凹状窪み１８により容易に開口することがなく、化粧シート２０、２５を通し引手本体１０に固着する信頼性を向上させることができる。
【００３０】
上記実施例では爪部１１、及び収納凹溝３５を戸当たり部１０ａに設けた場合、及び爪部１１、及び収納凹溝３５によって形成される隙間１５が裏面側表面１０ｊと戸当たり面１０ｈとの角部に設けた例を示したが、勿論、これに限られず、他の部分（引戸本体３０の通し引手取付段部３１に固着される、通し引手本体１０の固着部１０ｃの固着面以外の適所、例えば、手掛け部１０ｄ・１０ｅのような部位）に設けることも可能である。
【符号の説明】
【００３１】
Ａ：通し引手、１０：通し引手本体、１０ａ：戸当たり部、１０ｂ：手掛け凸部、１０ｃ：固着部、１０ｄ：（裏面側）手掛け部、１０ｅ：（表面側）手掛け部、１０ｆ：屈曲部、１０ｇ：傾斜片部、１０ｈ：戸当たり面、１０ｊ：裏面側表面、１１：爪部、１１ａ：端面、１２：基部、１３：凸状突起、１４：内面（対向面）、１５：隙間、１８：凹状窪み、２０：（表面側）化粧シート、２０ａ：シート端部、２５：（裏面側）化粧シート、２５ａ：シート端部、３０：引戸本体、３１：通し引手取付凹段部、３５：収納凹溝。
【図１】
2018111998.tif 000003
【図２】
2018111998.tif 000004
【図３】
2018111998.tif 000005
【図４】
2018111998.tif 000006
【図５】
2018111998.tif 000007
【図６】
2018111998.tif 000008
【図７】
2018111998.tif 000009